(57)【要約】【課題】  ワンタイムＩＤを名刺２１に書き込むことで、その名刺２１を、サービス提供用等の特定の目的に使用する。このとき、その名刺２１の他人の利用を防止する。【解決手段】  名刺情報管理サーバ１３は、所定の処理要求に基づいて、ワンタイムＩＤとパスワードとを生成する認証データ生成手段４２と、上記ワンタイムＩＤとパスワードとを対応させた認証データ３１を記憶する記憶装置３０と、上前記ワンタイムＩＤを名刺書き込み用データとして送信するＩＤ送信手段４３と、上記処理要求とともに特定のメールアドレスの入力を受け付けるアドレス受付手段４４と、当該メールアドレスに対して、上記パスワードを送信するメール送信手段４５とを備える。【選択図】図１
2006209183.tif 000002
【特許請求の範囲】
【請求項１】
所定の処理要求に基づいて、ワンタイムＩＤとパスワードとを生成する認証データ生成手段と、
前記ワンタイムＩＤとパスワードとを対応させた認証データを記憶する記憶装置と、
前記ワンタイムＩＤを名刺書き込み用データとして送信するＩＤ送信手段と、
前記処理要求とともに特定のメールアドレスの入力を受け付けるアドレス受付手段と、
当該メールアドレスに対して、前記パスワードを送信するメール送信手段とを備えたことを特徴とする名刺情報管理サーバ。
【請求項２】
ワンタイムＩＤとパスワードの発行要求をする認証データ発行要求手段と、
前記ワンタイムＩＤを受信して、名刺に設けられた記憶装置に記憶させるＩＤ書き込み手段と、
前記パスワードの送信先として、特定のメールアドレスを送信するアドレス通知手段とを備えたことを特徴とする名刺情報管理端末。
【請求項３】
名刺に設けられた記憶装置から読み取られたワンタイムＩＤの転送を要求するＩＤ要求手段と、
パスワードの入力を要求するパスワード要求手段と、
前記ワンタイムＩＤとパスワードとを、前記ワンタイムＩＤの発行時に生成されたパスワードと対応させた認証データと照合して、所定の認証処理を実行する認証手段と、
認証処理が正常終了したとき、前記名刺に設けられた記憶装置に記憶された所定の処理を許可する許可情報を送信する許可送信手段とを備えたことを特徴とする名刺情報管理サーバ。
【請求項４】
名刺に設けられた記憶装置にワンタイムＩＤを書き込み、もしくは、名刺に設けられた記憶装置からパスワードを読み取る装置が、名刺入れから成ることを特徴とする名刺情報管理端末。
【請求項５】
名刺に設けられた記憶装置にワンタイムＩＤを書き込み、もしくは、名刺に設けられた記憶装置からパスワードを読み取る装置が、携帯電話から成ることを特徴とする名刺情報管理端末。
【請求項６】
コンピュータを、
所定の処理要求に基づいて、ワンタイムＩＤとパスワードとを生成する認証データ生成手段と、
前記ワンタイムＩＤとパスワードとを対応させた認証データを記憶する記憶装置と、
前記ワンタイムＩＤを名刺書き込み用データとして送信するＩＤ送信手段と、
前記処理要求とともに特定のメールアドレスの入力を受け付けるアドレス受付手段と、
当該メールアドレスに対して、前記パスワードを送信するメール送信手段、
として機能させる名刺情報管理プログラム。
【請求項７】
コンピュータを、
所定の処理要求に基づいて、ワンタイムＩＤとパスワードとを生成する認証データ生成手段と、
前記ワンタイムＩＤとパスワードとを対応させた認証データを記憶する記憶装置と、
前記ワンタイムＩＤを名刺書き込み用データとして送信するＩＤ送信手段と、
前記処理要求とともに特定のメールアドレスの入力を受け付けるアドレス受付手段と、
当該メールアドレスに対して、前記パスワードを送信するメール送信手段、
として機能させる名刺情報管理プログラムを記録した、コンピュータで読み取り可能な記録媒体。
【請求項８】
認証データ生成手段が、所定の処理要求に基づいて、ワンタイムＩＤとパスワードとを生成するステップと、
記憶装置が、前記ワンタイムＩＤとパスワードとを対応させた認証データを記憶するステップと、
ＩＤ送信手段が、前記ワンタイムＩＤを名刺書き込み用データとして送信するステップと、
アドレス受付手段が、前記処理要求とともに特定のメールアドレスの入力を受け付けるステップと、
メール送信手段が、当該メールアドレスに対して、前記パスワードを送信するステップ、
を含む名刺情報管理方法。
【発明の詳細な説明】
【技術分野】
【０００１】
本発明は、名刺を渡した特定の相手方に店舗等において所定のサービス等を提供することができる、名刺情報管理サーバと名刺情報管理端末と名刺情報管理プログラムと記録媒体と名刺情報管理方法に関する。
【背景技術】
【０００２】
商取引において、名刺の役割は大きい。問い合わせ書類や発注書類等は名刺の記載に基づいて作成される。その名刺の記載事項の転記ミス等を防止するために、名刺と一体化したＩＣチップに名刺記載事項を記憶させ、コンピュータで読み取り処理する技術が開発されている（特許文献１）。
【特許文献１】特開２００３−４４６５７号公報
【発明の開示】
【発明が解決しようとする課題】
【０００３】
ここで、従来の技術には、次のような解決すべき課題があった。例えば、イベント会場でブースを訪れた顧客に対して、当該ブースの営業マンが特定の名刺を手渡し、その名刺をその顧客が本店に持参した場合に、所定のサービスを提供するというという方法がある。この方法により、有力な顧客を本店に勧誘して営業を展開することができる。この場合に、もし、その特定の名刺が第三者に渡ったとき、本店では、名刺を持参した顧客に対して、有力な顧客かどうかの確証無しに、所定のサービスを提供しなければならない。それでは本来の目的が達成できない。
本発明は以上の課題を解決するためになされたもので、名刺を渡した特定の相手方を判定できる、名刺情報管理サーバと名刺情報管理端末と名刺情報管理プログラムと記録媒体と名刺情報管理方法を提供することを目的とする。
【課題を解決するための手段】
【０００４】
本発明の各実施例においては、それぞれ次のような構成により上記の課題を解決する。
〈構成１〉所定の処理要求に基づいて、ワンタイムＩＤとパスワードとを生成する認証データ生成手段と、上記ワンタイムＩＤとパスワードとを対応させた認証データを記憶する記憶装置と、上記ワンタイムＩＤを名刺書き込み用データとして送信するＩＤ送信手段と、上記処理要求とともに特定のメールアドレスの入力を受け付けるアドレス受付手段と、当該メールアドレスに対して、上記パスワードを送信するメール送信手段とを備えたことを特徴とする名刺情報管理サーバ。
【０００５】
ワンタイムＩＤを名刺に書き込むことで、その名刺を、サービス提供用等の特定の目的に使用できる。また、同時にパスワードを発行して、特定のメールアドレスに送信するので、名刺を所持し、かつ、そのメールを受信した者だけが、上記の特定の目的での使用を認められる。即ち、名刺の他人の利用を防止できる。
【０００６】
〈構成２〉ワンタイムＩＤとパスワードの発行要求をする認証データ発行要求手段と、上記ワンタイムＩＤを受信して、名刺に設けられた記憶装置に記憶させるＩＤ書き込み手段と、上記パスワードの送信先として、特定のメールアドレスを送信するアドレス通知手段とを備えたことを特徴とする名刺情報管理端末。
【０００７】
ワンタイムＩＤの発行を要求して名刺に書き込み、同時に、発行されたパスワードを、特定のメールアドレスに送信するように要求するので、名刺を所持し、かつ、そのメールを受信した者だけに、特定のサービス等を提供できる。
【０００８】
〈構成３〉名刺に設けられた記憶装置から読み取られたワンタイムＩＤの転送を要求するＩＤ要求手段と、パスワードの入力を要求するパスワード要求手段と、上記ワンタイムＩＤとパスワードとを、上記ワンタイムＩＤの発行時に生成されたパスワードと対応させた認証データと照合して、所定の認証処理を実行する認証手段と、認証処理が正常終了したとき、上記名刺に設けられた記憶装置に記憶された所定の処理を許可する許可情報を送信する許可送信手段とを備えたことを特徴とする名刺情報管理サーバ。
【０００９】
ワンタイムＩＤ発行時に保存しておいたパスワードを参照して、名刺を提示した者の認証処理を実行するので、認証に成功した者だけに特定のサービス等を提供できる。
【００１０】
〈構成４〉名刺に設けられた記憶装置にワンタイムＩＤを書き込み、もしくは、名刺に設けられた記憶装置からパスワードを読み取る装置が、名刺入れから成ることを特徴とする名刺情報管理端末。
【００１１】
端末装置にカードリーダライタを接続する必要がなく、名刺のデータの読み書き操作が簡便になる。
【００１２】
〈構成５〉名刺に設けられた記憶装置にワンタイムＩＤを書き込み、もしくは、名刺に設けられた記憶装置からパスワードを読み取る装置が、携帯電話から成ることを特徴とする名刺情報管理端末。
【００１３】
端末装置にカードリーダライタを接続する必要がなく、携帯電話ネットワークを利用できる。
【００１４】
〈構成６〉コンピュータを、所定の処理要求に基づいて、ワンタイムＩＤとパスワードとを生成する認証データ生成手段と、上記ワンタイムＩＤとパスワードとを対応させた認証データを記憶する記憶装置と、上記ワンタイムＩＤを名刺書き込み用データとして送信するＩＤ送信手段と、上記処理要求とともに特定のメールアドレスの入力を受け付けるアドレス受付手段と、当該メールアドレスに対して、上記パスワードを送信するメール送信手段、として機能させる名刺情報管理プログラム。
【００１５】
〈構成７〉コンピュータを、所定の処理要求に基づいて、ワンタイムＩＤとパスワードとを生成する認証データ生成手段と、上記ワンタイムＩＤとパスワードとを対応させた認証データを記憶する記憶装置と、上記ワンタイムＩＤを名刺書き込み用データとして送信するＩＤ送信手段と、上記処理要求とともに特定のメールアドレスの入力を受け付けるアドレス受付手段と、当該メールアドレスに対して、上記パスワードを送信するメール送信手段、として機能させる名刺情報管理プログラムを記録した、コンピュータで読み取り可能な記録媒体。
【００１６】
〈構成８〉認証データ生成手段が、所定の処理要求に基づいて、ワンタイムＩＤとパスワードとを生成するステップと、記憶装置が、上記ワンタイムＩＤとパスワードとを対応させた認証データを記憶するステップと、ＩＤ送信手段が、上記ワンタイムＩＤを名刺書き込み用データとして送信するステップと、アドレス受付手段が、上記処理要求とともに特定のメールアドレスの入力を受け付けるステップと、メール送信手段が、当該メールアドレスに対して、上記パスワードを送信するステップ、を含む名刺情報管理方法。
【発明を実施するための最良の形態】
【００１７】
本発明では、名刺に、ＩＣチップのようなデータ記憶装置を設けておく。ここに、例えば、名刺を配った営業担当者、即ち、名刺の所有者を識別する情報と、提供するサービスの内容を特定する情報を記憶させておく。本店では、名刺を渡した相手方、例えば、顧客がこの名刺を持参したときに、コンピュータによりデータ記憶装置の内容を読み取って、所定の認証処理をした後に、該当するサービスを提供する。名刺を渡した特定の相手方にのみサービスを提供する。即ち、名刺を間接的に入手した者は、サービスの提供をうけられないようにする。以下、本発明の実施の形態を実施例ごとに詳細に説明する。
【実施例１】
【００１８】
図１は、本発明のシステムの具体例を示すブロック図である。
図１に示すネットワーク１０には、端末装置１１、１２と名刺情報管理サーバ１３が接続されている。さらにこのネットワーク１０には、携帯電話ネットワークを構成する基地局１４が接続されている。これにより顧客の所有する携帯電話１５との電子メール交換が可能なネットワークを構成している。端末装置１１は、イベント会場のブースなどに設けられたものである。端末装置１２は、イベント会場でブースを開設している業者の店舗に設けられたものである。
【００１９】
端末装置１１には、カードリーダライタ２３が接続されている。このカードリーダライタ２３は、名刺２１や２２に一体に取り付けられたＩＣチップに記憶されたデータを読み取り、あるいはそのＩＣチップにデータを書き込む機能を持つ。名刺２１は、イベント会場でブースを担当する営業マンなどが顧客に対して配布するためのものである。名刺２２は、名刺２１を渡した顧客から営業マンが受け取った名刺である。
【００２０】
端末装置１１の本体制御部には、認証データ発行要求手段２４やアドレス通知手段２５といったコンピュータプログラムがインストールされている。認証データ発行要求手段２４は、後で説明するように、端末装置１１から名刺情報管理サーバ１３に対してネットワーク１０を通じて認証データの発行を要求する処理を実行する機能を持つ。認証データは後で説明するようにワンタイムＩＤとパスワードを含むデータである。アドレス通知手段２５は、後で説明するように、名刺２２に記録されたメールアドレスを名刺情報管理サーバ１３に対し送信する機能を持つ。
【００２１】
ブースで営業を行う営業マンは、名刺２１を顧客に渡して、店舗を訪れるように案内する。顧客は名刺交換を行い、名刺２１を受け取る。その顧客が該当する店舗に名刺２１を持参したとき、その認証処理を行うために、端末装置１２が設けられている。携帯電話１５は、顧客が所持する。この携帯電話１５のメールアドレスが、端末装置１１のアドレス通知手段２５によって名刺情報管理サーバ１３に伝えられる。この携帯電話１５は、名刺情報管理サーバ１３で発行されたパスワードを受信する機能を持つ。
【００２２】
名刺情報管理サーバ１３には、記憶装置３０と演算処理装置４０とが設けられている。記憶装置３０には、名刺情報管理サーバ１３において発行された認証データ３１が記憶されている。認証データ３１は、ワンタイムＩＤ３２とパスワード３３を含む。演算処理装置４０は、図１に示すような各種の手段による所定の処理を実行する。これらの手段は、名刺情報管理サーバ１３のコンピュータに一定の演算処理を実行させるコンピュータプログラムである。
【００２３】
ネットワークインタフェース４１は、名刺情報管理サーバ１３とネットワーク１０とを接続し、全てのデータの送受信を制御する機能を持つ。認証データ生成手段４２は、端末装置１１の認証データ発行要求手段２４の依頼に基づいて認証データを生成し、所定の処理を実行すると共にその認証データ３１を記憶装置３０に記憶させる機能を持つ。ＩＤ送信手段４３は、生成された認証データ３１に含まれるワンタイムＩＤ３２をネットワーク１０を通じて端末装置１１に送信する機能を持つ。
【００２４】
アドレス受付手段４４は、端末装置１１のアドレス通知手段２５により通知されたメールアドレスを受信する機能を持つ。メール送信手段４５は、アドレス受付手段４４が受信したメールアドレスに対して、記憶装置３０に記憶されたパスワード３３を送信する機能を持つ。ＩＤ要求手段４６は、端末装置１２において顧客の持参した名刺２１の認証処理を実行する時、ワンタイムＩＤの送信要求をする機能を持つ。パスワード要求手段４７は、メールで送信したパスワードの入力要求をする機能を持つ。認証手段４８は、端末装置１２から送信されたワンタイムＩＤとパスワードの組み合わせが記憶装置３０に記憶された認証データ３１のいずれかに合致するかを判断し、認証処理をする機能を持つ。
【００２５】
許可送信手段４９は、認証手段４８の認証処理が正常に終了したかどうかを判断し、正常に終了した旨の通知を端末装置１２に送信する機能を持つ。なお、端末装置側の記憶装置には、ブースで営業を行う営業マンの名刺所有者コード５１と、提供サービス内容情報５２と、ワンタイムＩＤ３２とが記憶されている。従って、認証が終了すると、この内容に基づいて、顧客に対して所定のサービスが提供される。
【００２６】
図２は、上記システムのハードウエアブロック図である。
名刺情報管理サーバ１３はネットワークインタフェース１１１によりネットワーク１０に接続されている。名刺情報管理サーバ１３のバスライン１１０には、ＣＰＵ１１２とＲＯＭ（リードオンリメモリ）１１３とＲＡＭ（ランダムアクセスメモリ）１１４とＨＤＤ（ハードディスク）１１５が接続されている。ＣＰＵ１１２は演算処理装置４０として機能し、ＲＯＭ１１３とＲＡＭ１１４とＨＤＤ１１５とは、記憶装置３０として機能する。
【００２７】
端末装置１１の本体制御部は、ネットワーク１０に、ネットワークインタフェース１２１を介して接続されている。バスライン１２０には、ＣＰＵ１２２とＲＯＭ１２３とＲＡＭ１２４とＨＤＤ１２５と入出力インタフェース１２６が接続されている。入出力インタフェース１２６には、ディスプレイ１０４とキーボード１０６とマウス１０７とカードリーダランタ２３が接続されている。ＣＰＵ１２２は、ＲＯＭ１２３とＲＡＭ１２４とＨＤＤ１２５とを使用して名刺データの読み書き制御や、認証データ発行要求、アドレス通知処理等を実行するコンピュータである。なお、他方の端末装置１２（図１）も、端末装置１１と同様の上記ハードウエア構成を備える。
【００２８】
上記のシステムでは、例えば、営業マンが自分の名刺２１を特定の相手方に渡す前に、名刺２１を端末装置１１のカードリーダライタ２３にセットして、管理サーバ１３に対して、認証データ発行要求をする。この要求により、管理サーバ１３からワンタイムＩＤ３２を取得する。ワンタイムＩＤ３２は、管理サーバ１３に要求したときにそのつど自動的に発行される識別データで、このカードの取り扱い業務にのみ使用されるものである。例えば、従来より、特定のウエブサイトの閲覧のために自動的に発行されるような用途に使用されているものを利用すればよい。
【００２９】
パスワード３３は、ワンタイムＩＤ３２の認証に使用される。ワンタイムＩＤ３２は、名刺２１のＩＣチップに書き込まれる。パスワードは、ワンタイムＩＤと対応させて管理サーバ１３側の記憶装置３０に記憶させておく。ワンタイムＩＤ３２は、名刺一枚ごとに別々に発行されてもよいし、例えば、ある日に配布する名刺には全て同一のワンタイムＩＤを書き込んでもよい。一方、名刺を渡した相手方からは、メールアドレスを取得する。相手方の名刺２２にＩＣチップが取り付けられていれば、そのＩＣチップからメールアドレスを取得する。そして、そのメールアドレスをワンタイムＩＤ３２と対応させて管理サーバ１３に送信する。
【００３０】
管理サーバ１３では、ワンタイムＩＤ３２と対応させてパスワード３３を生成する。管理サーバ１３は、そのパスワード３３を該当するメールアドレスに送信する。管理サーバ１３では、ワンタイムＩＤ３２と対応するパスワード３３とを、認証用データ３１として記憶装置３０に記憶しておく。名刺２１を渡した相手方は、その名刺２１を保存するとともに、電子メールで通知されたパスワード３３を控えておく。そして、該当する店舗を訪れたときに名刺２１を差し出し、同時にパスワード３３を店員に伝える。店員は、端末装置１２を操作して、ワンタイムＩＤ３２とパスワード３３とを入力し、管理サーバ１３に認証処理を要求する。
【００３１】
管理サーバ１３では、ワンタイムＩＤとパスワードを受信すると、ワンタイムＩＤをキーにして認証用データを検索し、パスワードが一致するかどうか判断する。パスワードが一致すれば、認証が正常に終了したことを端末装置１２に伝える。認証が正常に終了すれば、店舗を訪れた者は、間違いなく営業マンが名刺を直接渡した相手方であると判断できる。そこで、所定のサービスを提供する。なお、例えば、また、名刺を直接渡した相手方が図示しない任意の端末装置を利用して管理サーバに接続し、ワンタイムＩＤとパスワードとを入力して、ネットワーク１０を利用して所定のサービスを受けることができるようにしてもよい。以下さらに具体的に本発明のシステムの動作を説明する。
【実施例２】
【００３２】
図３は、端末装置１１の操作画面例説明図である。
図３の画面６０は、図１に示した端末装置１１のディスプレイに表示される。始めに名刺をカードリーダにセットして下さい、という表示がある。名刺を図１に示したカードリーダライタ２３にセットし、ボタン６１をクリックすると、名刺に記録されたデータが読み取られる。読み取りデータはテキストボックス６２に表示される。ここには例えば、名刺に記載された事項、すなわち、会社名、事業所名、営業マンの氏名、この名刺を持参した顧客に対し提供するサービスの内容、及び、当日の日付などが含まれている。
【００３３】
オペレータがこの表示内容を確認してボタン６３をクリックすると、認証データ発行要求手段２４が起動し、認証データの発行要求を行う。ボタン６４をクリックすると処理がキャンセルされる。認証データの発行要求に従って認証データが発行され、ワンタイムＩＤが受信されると、認証データ発行要求手段２４がカードリーダライタ２３を制御して、名刺２１にワンタイムＩＤが書き込まれる。同時に、図３のボタン６５と６７がアクティブになる。
【００３４】
この状態で、テキストボックス６６にメールアドレスを直接入力することができる。また、あるいは、カードリーダライタ２３に顧客の名刺２２をセットし、ボタン６５をクリックすると、名刺２２から自動的にメールアドレスが読み取られる。その結果は、テキストボックス６６に表示される。顧客の名刺２２がＩＣチップを備えていないなら、テキストボックス６６にキーボードなどを用いて直接メールアドレスを入力する。その後、ボタン６７をクリックすることによってアドレス通知手段２５が起動する。
【００３５】
アドレス通知手段２５は、テキストボックス６６に表示されたメールアドレスをネットワーク１０を通じて名刺情報管理サーバ１３に送信する。その後、名刺情報管理サーバ１３から該当するメールアドレスにパスワードが送信されると、パスワードの送信が終了しました、というメッセージが表示される。ボタン６８をクリックすると、全ての処理が終了する。
【実施例３】
【００３６】
図４は、端末装置１２の操作画面例説明図である。
画面７０は、まず、端末装置１２に設けられたカードリーダに名刺をセットするよう要求するメッセージを表示している。図１に示した端末装置１２には例えば、内蔵式のカードリーダが設けられているものとする。名刺２１をそこにセットし、ボタン７１をクリックすると、テキストボックス７２に名刺から読み取られたデータが表示される。ここには、図３を用いて説明した内容と同様の内容のデータが表示される。なお、日付の部分は名刺２１を用いて認証データを発行した日付である。さらに、認証データ発行時に名刺２１に記録されたワンタイムＩＤも表示される。
【００３７】
ここで表示内容の確認後ボタン７３をクリックすると、認証要求が名刺管理サーバ１３に送信される。キャンセルボタン７４をクリックすると処理がキャンセルされる。認証要求があると、パスワードを入力して下さいというメッセージを表示して、テキストボックス７６が有効になる。ここにメールで送信されたパスワードを入力し、ボタン７７をクリックすると、名刺情報管理サーバ１３で認証処理が実行される。ボタン７８をクリックすると、処理がキャンセルされる。認証処理の結果は、テキストボックス７９に表示される。
【００３８】
図５は、上記のシステムの動作を示すシーケンスチャートである。
まず、最初の処理Ｐ１は、端末装置１１で実行される。ここでは、名刺２１に記録された営業マンの識別情報やその他の付加情報と名刺２２に記録された相手方のメールアドレスとが名刺情報管理サーバ１３に送信される。名刺情報管理サーバ１３では、処理Ｐ２において認証データを生成し、処理Ｐ３でワンタイムＩＤの書き込み要求を行う。この書き込み要求が端末装置１１に転送され、名刺２１にワンタイムＩＤが書き込まれる。
【００３９】
また、名刺情報管理サーバ１３は処理Ｐ４においてパスワードを相手方の携帯電話１５に送信する。図５では、相手方端末装置１７と表現している。名刺を受け取った相手方は、名刺２１を店舗に持参する。店舗の端末装置１２では、名刺２１のデータを読み取って名刺情報管理サーバ１３に対し、認証要求を行う。これが処理Ｐ５である。名刺情報管理サーバ１３は、処理Ｐ６において端末装置１２に対しワンタイムＩＤの送信要求をする。
【００４０】
端末装置１２は、処理Ｐ７において名刺情報管理サーバ１３に対しワンタイムＩＤを送信する。名刺情報管理サーバ１３は、処理Ｐ８において端末装置１２に対しパスワードを要求する。端末装置１２は、処理Ｐ９においてパスワードを名刺情報管理サーバ１３に送信する。名刺情報管理サーバ１３では、処理Ｐ１０において認証処理を実行し、その結果に基づいて処理Ｐ１１で許可情報を送信する。なお、認証が不成功に終わった場合には、端末装置１２に対し、エラーメッセージが送信される。
【実施例４】
【００４１】
図６は、端末装置１１のコンピュータプログラムの動作フローチャートである。
まず、ステップＳ１１で、カードリーダライタ２３に対し名刺２１をセットすると、ステップＳ１２でカードリーダライタ２３は、名刺に記入されたデータの読み取りを実行する。認証データ発行要求手段２４は、ステップＳ１３で読み取ったデータを名刺情報管理サーバ１３に送信すると共に、認証データの発行要求を行う。ステップＳ１４では、名刺情報管理サーバ１３で発行されたワンタイムＩＤを受信する。そして、認証データ発行要求手段２４は、カードリーダライタ２３に対し、そのワンタイムＩＤの名刺２１への書き込みを要求する。これに対応して、カードリーダライタ２３は、名刺２１に対しステップＳ１５でワンタイムＩＤの書き込み処理を実行する。さらに、ステップＳ１６においてアドレス通知手段２５は、カードリーダライタ２３にセットされた名刺２２からメールアドレスを読み取ってこれを名刺情報管理サーバ１３に対して送信する。
【００４２】
図７は、名刺情報管理サーバ１３の動作フローチャートである。
ネットワークインタフェース４１は、ネットワーク１０を通じてステップＳ２１で認証データの発行要求を受信する。この要求は、認証データ生成手段４２に伝達される。認証データ生成手段は、認証データ３１を生成し、記憶装置３０に記憶させる。ステップＳ２２とステップＳ２３は、この処理である。ステップＳ２４では、ＩＤ送信手段４３が起動し、ワンタイムＩＤを読み取って端末装置１１に対して送信する。さらに、アドレス受付手段４４が起動し、ステップＳ２５において端末装置１１からメールアドレスを受信する。メール送信手段４５は、そのメールアドレスを受け付けて、パスワード３３を記憶装置３０から読み取り、ネットワーク１０を通じて携帯電話１５にパスワードを送信する。そして、このステップＳ２７において記憶装置３０に認証データ３１を記憶して、処理を終了する。
【００４３】
図８は、名刺情報管理サーバ１３における認証処理の具体的な動作フローチャートである。
端末装置１２から認証処理の要求があると、ステップＳ３１において、ネットワークインタフェース４１がその要求を受け付け、ＩＤ要求手段４６が起動し、端末装置１２からワンタイムＩＤを受信する。そして、ステップＳ３２において記憶装置３０をアクセスし、該当するワンタイムＩＤを持つ認証データ３１を検索する。これにより、そのワンタイムＩＤに対応するパスワード３３を取得する。ステップＳ３３では、ＩＤ要求手段４６がパスワードを読み取り、これを認証手段４８に伝える。一方、パスワード要求手段４７は、端末装置１２からパスワードを受信する。このパスワードを認証手段４８に伝える。認証手段４８は、ＩＤ要求手段４６が取得したパスワードと端末装置１２から送信されたパスワードとを比較照合する（ステップＳ３４）。そして、ステップＳ３５において正常認証ができたかどうかを判断する。正常認証処理が行われた場合には、ステップＳ３６に進み、その旨のメッセージを端末装置１２に送信する。パスワードが不一致の場合には、エラーメッセージなどを表示して処理を終了する。
【実施例５】
【００４４】
図９は、本発明の変形例を示す説明図である。
図の（ａ）は、データの書き込みや読み出し機能を持つ名刺入れ８１に名刺８０を収納する状態を示す。名刺入れ８１には、名刺８０のＩＣチップ８２に書き込んだデータを読み書きするＲＷヘッド８３と、無線ＬＡＮインタフェース８４を設ける。無線ＬＡＮインタフェース８４は、例えば、図１に示した端末装置１１との間で、データ転送を制御する。即ち、名刺を相手に提供する際にワンタイムＩＤを名刺に書き込み、相手から名刺を取得した時、その名刺のメールアドレスを読み取ってサーバに送信できる。従って、カードリーダライタ２３は不要になる。
【００４５】
図の（ｂ）は、携帯電話８５に、名刺８０との通信機能を付与した例を示す。即ち、携帯電話８５は、名刺８０にワンタイムＩＤを書き込んだり、名刺８０に記憶されたデータを読み取る。携帯電話８５は、図１に示したネットワーク１０を通じて端末装置１１とデータの送受信をし、この端末装置１１に制御されて、名刺８０のＩＣチップ８２に書き込んだデータを読み書きする。即ち、携帯電話を用いて名刺の記憶装置にワンタイムＩＤを書き込み、携帯電話を用いて相手の名刺から２次元バーコードで表示されたメールアドレスを読み取って、サーバに送信する。以上のシステムにより、名刺のＩＣチップ等に記憶された情報に基づいて各種のサービスを提供することができる。
【００４６】
なお、上記の演算処理装置で実行されるコンピュータプログラムは、機能ブロックで図示した単位でモジュール化されてもよいし、複数の機能ブロックを組み合わせて一体化されてもよい。また、上記のコンピュータプログラムは、既存のアプリケーションプログラムに組み込んで使用してもよい。本発明を実現するためのコンピュータプログラムは、例えばＣＤ−ＲＯＭのようなコンピュータで読み取り可能な記録媒体に記録して、任意の情報処理装置にインストールして利用することができる。
【図面の簡単な説明】
【００４７】
【図１】本発明のシステムの具体例を示すブロック図。
【図２】システムのハードウエアブロック図。
【図３】端末装置１１の操作画面例説明図。
【図４】端末装置１２の操作画面例説明図。
【図５】システムの動作を示すシーケンスチャート。
【図６】端末装置１１のコンピュータプログラムの動作フローチャート。
【図７】名刺情報管理サーバ１３の動作フローチャート。
【図８】名刺情報管理サーバ１３における認証処理の動作フローチャート。
【図９】カードリーダライタ部分の変形例を示す説明図。
【符号の説明】
【００４８】
１０  ネットワーク、１１  端末装置、１２  端末装置、１３  名刺情報管理サーバ、１４  基地局、１５  携帯電話、２３  カードリーダライト、２１  名刺、２２  名刺、２４  認証データ発行要求手段、２５  アドレス通知手段、３０  記憶装置、４０  演算処理装置、１３  名刺情報管理サーバ、３１  認証データ、３２  ワンタイムＩＤ、３３  パスワード、４１  ネットワークインタフェース、４２  認証データ生成手段、４３  ＩＤ送信手段、４４  アドレス受付手段、４５  メール送信手段、４６  ＩＤ要求手段、４７  パスワード要求手段、４８  認証手段、４９  許可送信手段
【図１】
2006209183.tif 000003
【図２】
2006209183.tif 000004
【図３】
2006209183.tif 000005
【図４】
2006209183.tif 000006
【図５】
2006209183.tif 000007
【図６】
2006209183.tif 000008
【図７】
2006209183.tif 000009
【図８】
2006209183.tif 000010
【図９】
2006209183.tif 000011